(57)【要約】【課題】電気機器が自機器の状態やヘルプメッセージなどをユーザに通知する際に、ユーザが不快な気分にならないようにする。【解決手段】自機器の異常を検出する異常検出部と、複数の携帯装置の位置情報を取得する位置検出部と、前記携帯装置のユーザの状態情報および前記位置情報に基づいて前記異常を通知する最も優先順位の高い携帯装置を特定する通知判定部と、を備える。【選択図】図３
2015143948.tif 000002
【特許請求の範囲】
【請求項１】
自機器の異常を検出する異常検出部と、
複数の携帯装置の位置情報を取得する位置検出部と、
前記携帯装置のユーザの状態情報および前記位置情報に基づいて前記異常を通知する最も優先順位の高い携帯装置を特定する通知判定部と、
を備える電気機器。
【請求項２】
電気機器の異常を検出する工程と、
複数の携帯装置の位置情報を取得する工程と、
前記携帯装置のユーザの状態情報および前記位置情報に基づいて前記異常を通知する最も優先順位の高い携帯装置を特定する工程と、
を備える通知方法。
【請求項３】
ユーザの状態を検出する状態検出部と、
電気機器と通信を行いユーザ情報を送信する通信部と、
を備える携帯装置。
【請求項４】
前記ユーザの状態情報はユーザの繁忙度情報である請求項３に記載の携帯装置。
【請求項５】
ユーザが携帯可能な携帯装置と電気機器を具備する通知システムにおいて、
前記携帯装置は、
自装置のユーザの状態を示す状態情報を検出する状態検出部と、
自装置のユーザに対して、情報を通知する通知部と、
を備え、
前記電気機器は、
自機器の異常を検出する異常検出部を備え、
前記携帯装置又は前記電気機器は、
前記異常検出部が異常を検出した場合に、前記状態情報に基づいて、当該異常に基づく情報を前記通知部から前記ユーザへ通知するか否かの判定を行う通知判定部を備える通知システム。
【発明の詳細な説明】
【技術分野】
【０００１】
本発明は、電気機器、通知方法、携帯装置および通知システムに関する。
【背景技術】
【０００２】
電気機器が自機器の状態やヘルプメッセージなどをユーザに通知する技術が知られている。
特許文献１には、関連する技術として、洗濯機や乾燥機の洗濯や乾燥の処理終了を示す終了報知信号をテレビジョン、パーソナルコンピュータ、電話機に送信し、テレビジョン、パーソナルコンピュータ、電話機を介して音、文字、絵などで洗濯や乾燥の処理終了をユーザに報知する技術が記載されている。
特許文献２には、関連する技術として、洗濯機や乾燥機とは別の機器がユーザの存在を検知した場合に、洗濯機や乾燥機の洗濯や乾燥の処理終了をユーザに報知する技術が記載されている。
特許文献３には、関連する技術として、ロボットが障害物を回避する際にユーザを検知した場合、「助けてください。」や「前方の障害物をどけてください。」などのヘルプメッセージをユーザに合成音声で報知する技術が記載されている。
【先行技術文献】
【特許文献】
【０００３】
【特許文献１】特開平９−２７１５９６号公報
【特許文献２】特開２００４−１７４１２２号公報
【特許文献３】特許第３４１１５２９号公報
【発明の概要】
【発明が解決しようとする課題】
【０００４】
ところで、ユーザは、繁忙である場合、ユーザの携帯装置が不要な情報を受信しないで欲しいと思うことがある。しかしながら、特許文献１〜特許文献３に記載の技術を用いた電気機器は、自機器の状態やヘルプメッセージなどをユーザに通知する際に、携帯装置が不要な情報を受信しないで欲しいと思っているユーザの携帯装置にも情報を送信してしまう。そのため、電気機器が自機器の状態やヘルプメッセージなどをユーザに通知する際に、ユーザは不快な気分になることがあった。
【０００５】
この発明は、上記の課題を解決することのできる電気機器を具備する通知システムを提供するものである。
【課題を解決するための手段】
【０００６】
上記目的を達成するために、電気機器は、異常検出部と、位置検出部と、通知判定部と、を備える。異常検出部は、自機器の異常を検出する。位置検出部は、複数の携帯装置の位置情報を取得する通知判定部は、前記携帯装置のユーザの状態情報および前記位置情報に基づいて前記異常を通知する最も優先順位の高い携帯装置を特定する。
【発明の効果】
【０００７】
本発明の通知システムによれば、電気機器が自機器の状態やヘルプメッセージなどをユーザに通知する際に、ユーザが不快な気分にならない、という効果が得られる。
【図面の簡単な説明】
【０００８】
【図１】第一の実施形態による通知システム１の構成の一例を示す図である。
【図２】第一の実施形態による携帯装置１０の構成の一例を示す図である。
【図３】第一の実施形態による電気機器２０の構成の一例を示す図である。
【図４】本発明の第一の実施形態による通知システム１のイメージを示す図である。
【図５】本発明の第一の実施形態による各携帯装置１０の位置情報、所持の有無、繁忙度を示す図である。
【図６】本発明の第一の実施形態による通知判定部２０６が通信先の携帯装置１０を特定する際の優先順位の例を示す図である。
【図７】本発明の第一の実施形態による通知システム１の処理フローの例を示す図である。
【図８】本発明の第一の実施形態による通知システム１における情報要求の処理の例を示す図である。
【発明を実施するための形態】
【０００９】
＜第一の実施形態＞
図１は、第一の実施形態による通知システム１の構成の一例を示す図である。
通知システム１は、携帯装置１０ａ、１０ｂ、１０ｃと、電気機器２０ａと、２０ｂとを備える。
携帯装置１０ａ、１０ｂ、１０ｃのそれぞれは、スマートフォンのように所持（携帯）することのできる携帯装置、または、ウエアラブル機器のように身に着けることができる携帯装置である。なお、以下では、携帯装置１０ａ、１０ｂ、１０ｃを総称して携帯装置１０と言うことがある。
電気機器２０ａ、２０ｂのそれぞれは、掃除機や洗濯機や空調機器などの生活に欠かせない電気機器（生活家電）である。なお、以下では、電気機器２０ａ、２０ｂを総称して電気機器２０と言うことがある。電気機器２０は、携帯装置１０と相互に通信することができる。
【００１０】
図２は、第一の実施形態による携帯装置１０の構成の一例を示す図である。
携帯装置１０は、第一通信部１０１と、第二通信部１０２と、通信制御部１０３と、状態検出部１０４と、通知部１０５と、記憶部１０９とを備える。これらの部材はバス（母線）を介して相互に接続されている。
携帯装置１０が備える第一通信部１０１は、電気機器２０が備える第一通信部２０１と第一の通信を行う。第一の通信は、例えば、ＷｉＦｉ（ワイファイ、Ｗｉｒｅｌｅｓｓ  Ｆｉｄｅｌｉｔｙ）による通信である。
第二通信部１０２は、携帯装置１０と電気機器２０との間の距離を検出可能な第二の通信を電気機器２０と行う。第二の通信は、例えば、Ｂｌｕｅｔｏｏｔｈ（近距離無線通信規格）（登録商標）を用いる通信である。
通信制御部１０３は、ＣＰＵ（中央演算装置）を内包し、記憶部１０９に格納されたコンピュータプログラムを実行することで各種の機能を実現する。例えば、通信制御部１０３は、第一の通信を用いて送信された通信要求であって第二の通信を行うことを要求する通信要求を、第一通信部１０１が受信した場合に、第二通信部１０２に第二の通信を行わせる。
状態検出部１０４は、携帯装置１０のユーザの状態を示す状態情報を検出する。ここで、ユーザの状態とは、例えば、ユーザが携帯装置１０を所持しているか否かを示す状態である。状態検出部１０４は、例えば、加速度や心拍数などのユーザの生体情報に基づいて、状態情報を検出する。また、状態検出部１０４は、各携帯装置１０の所持の有無（ユーザが携帯装置１０を手に持っているか否か）を判定する。また、状態検出部１０４は、ユーザの繁忙度を特定する。
通知部１０５は、携帯装置１０のユーザに対して、情報を通知する。例えば、携帯装置１０が表示部を備えている場合、通知部１０５は、その表示部に文字や記号などを表示してユーザに情報を通知する。また、携帯装置１０がスピーカを備えている場合、通知部１０５は、スピーカから合成音声やビープ音などを出力してユーザに情報を通知する。
記憶部１０９は、携帯装置１０の処理に必要な種々の情報（データ・コンピュータプログラム）を記憶する記憶部である。
【００１１】
図３は、第一の実施形態による電気機器２０の構成の一例を示す図である。
電気機器２０は、第一通信部２０１と、第二通信部２０２と、異常検出部２０３と、通信要求部２０４と、位置検出部２０５と、通知判定部２０６と、記憶部２０９とを備える。
電気機器２０が備える第一通信部２０１は、携帯装置１０が備える第一通信部１０１と第一の通信を行う。第一の通信の意味するところは既述のとおりである。
第二通信部２０２は、携帯装置１０が備える第二通信部１０２と第二の通信を行う。第二の通信の意味するところは既述のとおりである。
異常検出部２０３は、電気機器２０の異常を検出する。異常検出の態様については後述する。
通信要求部２０４は、異常検出部２０３が異常を検出した場合に、第一の通信を用いて、通信要求を送信する。
位置検出部２０５は、第二の通信に基づいて、電気機器２０と携帯装置１０との位置関係を示す位置情報を検出する。例えば、位置検出部２０５は、携帯装置１０と第二の通信を行う際の受信信号強度（ＲＳＳＩ；Ｒｅｃｅｉｖｅｄ  Ｓｉｇｎａｌ  Ｓｔｒｅｎｇｔｈ  Ｉｎｄｉｃａｔｉｏｎ）に基づいて、携帯装置１０と電気機器２０との間の距離を取得する。
通知判定部２０６は、状態検出部１０４が特定したユーザの繁忙度と位置検出部２０５が取得した携帯装置１０と電気機器２０との間の距離とに基づいて、通知先となる携帯装置１０の優先順位を特定する。通知判定部２０６は、異常検出部２０３が異常を検出した場合に、状態情報に基づいて、当該異常に基づく情報を通知部１０５からユーザへ通知するか否かの判定を行う。
記憶部２０９は、電気機器２０の処理に必要な種々の情報を記憶する記憶部である。
【００１２】
図４は、本発明の第一の実施形態による通知システム１のイメージを示す図である。
図４において、スマートフォン１０ａと、肺活量計機能を備えるウエアラブル機器である１０ｂと、心拍計機能を備えるウエアラブル機器である１０ｃとが携帯装置１０である。また、掃除機２０ａと洗濯機２０ｂとが電気機器２０である。携帯装置１０と電気機器２０とは、通常時、第一の通信であるＷｉＦｉ通信により通信を行う。
そして、異常検出部２０３が異常を検出した場合、第一通信部２０１は、情報を送信すべき携帯装置１０を特定するために、第二の通信であるＢｌｕｅｔｏｏｔｈ通信を可能にする通信要求を携帯装置１０に送信する。また、第二通信部２０２は、第二の通信を行える状態にする。第一通信部１０１が通信要求を受信すると、通信制御部１０３は第二通信部１０２が第二の通信を行える状態にする。そして、位置検出部２０５は、第一通信部２０１が各携帯装置１０から受信する受信信号強度に基づいて、電気機器２０と各携帯装置１０との距離を特定する。なお、上記の「異常を検出」とは、掃除機（円盤状のロボット掃除機、電気機器２０）が段差でおちたような異常を検出するとか、洗濯機（電気機器２０）が洗濯機の水量の異常を検出するとか、を意味する。
【００１３】
図５は、本発明の第一の実施形態による各携帯装置１０の位置情報、所持の有無、繁忙度を示す図である。
図５で示す各携帯装置１０の位置情報は、電気機器からの距離として示される。位置検出部２０５は、例えば、電気機器２０が携帯装置１０と第二の通信であるＢｌｕｅｔｏｏｔｈ通信を行っている場合、第二通信部２０２が携帯装置１０から受信する信号の受信信号強度に応じて、距離を１（短い）〜５（長い）の５段階に応じて、その距離を分類する。
【００１４】
状態検出部１０４は、図５で示す各携帯装置１０の所持の有無（ユーザが携帯装置１０を手に持っているか否か）を、携帯装置１０が有するセンサによる物理量の検出結果や携帯装置１０と電気機器２０との間の通信状況に基づいて判定する。
例えば、携帯装置１０がスマートフォン１０ａである場合、スマートフォン１０ａが備える加速度センサが加速度を検出する。すると、状態検出部１０４は、その加速度の検出に基づいて、ユーザが携帯装置１０を所持していると判定する。また、スマートフォン１０ａが備えるタッチパネルのタッチセンサが文字入力を検出する。すると、状態検出部１０４は、その文字入力の検出に基づいて、ユーザが携帯装置１０を所持していると判定する。
また、例えば、携帯装置１０が活動量計機能を備えるウエアラブル機器１０ｂである場合、状態検出部１０４は、加速度を検出したことに基づいて、ユーザが携帯装置１０を所持していると判定する。
また、例えば、携帯装置１０が心拍計機能を備えるウエアラブル機器１０ｃである場合、状態検出部１０４は、心拍を検出したことに基づいて、ユーザが携帯装置１０を所持していると判定する。
【００１５】
状態検出部１０４は、携帯装置１０が有するセンサによる物理量の検出結果や携帯装置１０が起動中のアプリケーションプログラムの種類に基づいて図５で示すユーザの繁忙度を特定する。そして、状態検出部１０４は、特定した繁忙度を通知判定部１０６に出力する。
例えば、携帯装置１０がスマートフォン１０ａである場合、状態検出部１０４は、起動中のアプリケーションの種類に基づいてユーザの繁忙度を１（低い）〜５（高い）の５段階のうちの何れかに特定する。
また、例えば、携帯装置１０が活動量計機能を備えるウエアラブル機器１０ｂである場合、状態検出部１０４は、ウエアラブル機器１０ｂが備える活動量計が活動量を検出する。状態検出部１０４は、その活動量に対応する消費カロリを記憶部２０９が記憶するデータテーブルから特定する。そして、状態検出部１０４は、特定した消費カロリに基づいてユーザの繁忙度を１（低い）〜５（高い）の５段階のうちの何れかに特定する。
また、例えば、携帯装置１０が心拍計機能を備えるウエアラブル機器１０ｃである場合、状態検出部１０４は、ウエアラブル機器１０ｃが備える心拍計が心拍数を検出する。そして、状態検出部１０４は、その心拍数に対応するユーザの繁忙度を１（低い）〜５（高い）の５段階のうちの何れかに特定する。
【００１６】
図６は、本発明の第一の実施形態による通知判定部２０６が通信先の携帯装置１０を特定する際の優先順位の例を示す図である。
図６で示すように、電気機器２０が通信先の携帯装置１０を特定する際の優先順位は、距離１（短い）〜距離５（長い）で示す距離と、繁忙度１（低い）〜繁忙度５（高い）で示す繁忙度との組み合わせにより決定する。
例えば、通知判定部２０６は、はるなが所持する携帯装置１０ａからの距離３を示す信号を位置検出部２０５から入力し、繁忙度１を示す信号を状態検出部１０４から受信する。電気機器２０は、だいちが所持する携帯装置１０ｂからの距離１を示す信号を位置検出部２０５から入力し、繁忙度２を示す信号を状態検出部１０４から受信する。また、電気機器２０は、みきが所持する携帯装置１０ｃからの距離４を示す信号を位置検出部２０５から入力し、繁忙度３を示す信号を状態検出部１０４から受信する。
この場合、通知判定部２０６は、はるなが所持する携帯装置１０ａの優先順位を４と特定する。通知判定部２０６は、だいちが所持する携帯装置１０ｂの優先順位を３と特定する。通知判定部２０６は、みきが所持する携帯装置１０ｃの優先順位を１４と特定する。そして、通知判定部２０６は、特定した優先順位の中から最も優先順位の高いだいちが所持する携帯装置１０ｂに情報を送信する。
なお、通知判定部２０６は、優先順位が同一である複数の携帯装置１０を特定した場合、距離の短い携帯装置１０を優先するなど予め設定してもよい。また、通知判定部２０６は、所定以上の距離の長さ（図６では距離５）や繁忙度の高さ（図６では繁忙度５）を示した場合、ユーザの対応が不可能であると判定し通知しないものとするしきい値を設けてもよい。
【００１７】
図７は、本発明の第一の実施形態による通知システム１の処理フローの例を示す図である。
図８は、本発明の第一の実施形態による通知システム１における情報要求の処理の例を示す図である。
次に、図７と図８とを用いて、第一の実施形態による通知システム１の処理について説明する。
なお、ここでは、図１で示した電気機器２０ａと携帯装置１０ａ、１０ｂ、１０ｃとを例に通知システム１の処理を説明する。電気機器２０ａは、掃除機２０ａであるものとする。携帯装置１０ａは、はるなが所持するスマートフォン１０ａであるものとする。携帯装置１０ｂは、だいちが所持する活動量計機能を有するウエアラブル機器１０ｂであるものとする。携帯装置１０ｃは、みきが所持する心拍計機能を有するウエアラブル機器１０ｃであるものとする。
【００１８】
電気機器２０ａである掃除機２０ａが例えば室内の段差で落ち、自機器が備える異常検出部２０３が、例えば加速度センサが加速度ゼロを検出したことに基づき動けなくなったことを検出したとする。この場合、電気機器２０ａは、ユーザに姿勢を正してもらうために、ユーザが所持する携帯装置１０にヘルプメッセージを送信する必要がある。そのため、図８で示すように、通信要求部２０４は、第一通信部２０１を介して第一の通信（例えばＷｉＦｉ通信）を行い、それぞれのユーザの携帯装置１０に位置情報を要求する位置情報要求信号を送信する（ステップＳ１）。位置情報要求信号は送信先の各携帯装置１０が第二の通信（例えばＢｌｕｅｔｏｏｔｈ通信）を行う要求をする通信要求を含んでいる。このとき、第二通信部２０２は、第二の通信を行う準備をする。
第一通信部１０１が電気機器２０ａから位置情報要求信号を受信すると、その第一通信部１０１を備える各携帯装置１０の第二通信部１０２は、位置情報要求信号に基づいて第二の通信を行う準備をする。そして、各携帯装置１０が備える第二通信部１０２は、第二の通信を行い電気機器２０ａに携帯装置情報を送信する。
【００１９】
第二通信部２０２が各携帯装置１０から携帯装置情報を受信すると、位置検出部２０５は、受信した受信信号強度に基づいて自機器２０ａと各携帯装置１０との距離を特定する。そして、位置検出部２０５は、電気機器２０ａと各携帯装置１０との距離を通知判定部２０６に出力すると共に記憶部２０９に記録する。
次に、通知判定部２０６は、第一通信部２０１を介して携帯装置情報を送信した各携帯装置１０に各ユーザが携帯装置１０を所持しているか（手に持っているか）否かの情報を要求する状態情報要求信号を送信する（ステップＳ２）。
【００２０】
第一通信部１０１は、電気機器２０ａから状態情報要求信号を受信すると、電気機器２０ａに状態検出部１０４が検出した状態情報を送信する。なお、状態情報は、図５について説明したように、携帯装置１０が有するセンサによる物理量の検出結果や携帯装置１０と電気機器２０との間の通信状況などを含む情報である。
【００２１】
第一通信部２０１が携帯装置１０から状態情報を受信すると、通知判定部２０６は、第一通信部２０１から状態情報を入力する。通知判定部２０６は、入力した状態情報に基づいて、各ユーザが携帯装置１０を所持しているか否かを判定する（ステップＳ３）。
例えば、携帯装置１０がスマートフォン１０ａである場合、通知判定部２０６は、スマートフォン１０ａから受信した状態情報に加速度を検出したことを示す情報を検出した場合、ユーザが携帯装置１０を所持していると判定する（ステップＳ３、ＹＥＳ）。通知判定部２０６は、スマートフォン１０ａから受信した状態情報に加速度を検出したことを示す情報を検出しない場合、ユーザが携帯装置１０を所持していないと判定する（ステップＳ３、ＮＯ）。また、通知判定部２０６は、スマートフォン１０ａから受信した状態情報にタッチセンサが文字入力操作を検出したことを含む情報を検出した場合、ユーザが携帯装置１０を所持していると判定する（ステップＳ３、ＹＥＳ）。通知判定部２０６は、スマートフォン１０ａから受信した状態情報にタッチセンサが文字入力を検出したことを含む情報を検出しない場合、ユーザが携帯装置１０を所持していないと判定する（ステップＳ３、ＮＯ）。
また、携帯装置１０の中には活動量計機能を備えるウエアラブル機器１０ｂや拍計機能を備えるウエアラブル機器１０ｃなどのように使用中にのみ通信できる場合がある。その場合、通知判定部２０６は、携帯装置１０がウエアラブル機器であることを含む携帯装置情報を送信した携帯装置１０については、その携帯装置情報を受信した段階で所持していると判定する（ステップＳ３、ＹＥＳ）。通知判定部２０６は、携帯位置情報を受信できない携帯装置１０については、ユーザが携帯装置１０を使用中ではなく所持していないと判定する（ステップＳ３、ＮＯ）。なお、通知判定部２０６がウエアラブル機器であることを含む携帯装置情報に基づいてユーザが携帯装置１０を所持していると判定した携帯装置１０には状態情報要求を送信しない。
【００２２】
なお、活動量計機能を備えるウエアラブル機器１０ｂや拍計機能を備えるウエアラブル機器１０ｃなどが使用中以外にも通信できる場合、通知判定部２０６は、携帯装置１０から受信した生体情報（例えば、加速度、心拍数など）に基づいて状態情報を検出する。そして、通知判定部２０６は、各ユーザが携帯装置１０を所持しているか否かを判定しても良い。
【００２３】
ユーザが携帯装置１０を所持していないと通知判定部２０６が判定した場合（ステップＳ３、ＮＯ）、通知システム１は一連の処理を終了する。
通知判定部２０６は、ユーザが携帯装置１０を所持していると判定した場合（ステップＳ３、ＹＥＳ）、第一通信部２０１を介してユーザが所持していると判定した各携帯装置１０に繁忙度を要求する繁忙度情報要求信号を送信する（ステップＳ４）。
【００２４】
電気機器２０ａから繁忙度情報要求信号を受信した各携帯装置１０は、電気機器２０ａに繁忙度情報を送信する。なお、繁忙度情報とは、図５について説明した、起動中のアプリケーションの種類、加速度、心拍数などを含む情報である。
第一通信部２０１が各携帯装置１０から繁忙度情報を受信すると、通知判定部２０６は、第一通信部２０１から繁忙度情報を入力する。通知判定部２０６は、第一通信部２０１から入力した繁忙度情報と、位置検出部２０５から入力する電気機器２０ａと各携帯装置１０との距離とに基づいて、通知可能な携帯装置１０の有無を判定する（ステップＳ５）。例えば、通知判定部２０６は、各携帯装置１０のすべてに対して、所定以上の距離の長さ（図６では距離５）や繁忙度の高さ（図６では繁忙度５）を示し、優先順位がつかない場合、通知可能な携帯装置１０が無いと判定する（ステップＳ５、ＮＯ）。そして、通知システム１は一連の処理を終了する。また、通知判定部２０６は、各携帯装置１０のうち１つでも優先順位がついた場合、通知可能な携帯装置１０が有ると判定する（ステップＳ５、ＹＥＳ）。
通知判定部２０６は、通知可能な携帯装置１０が有ると判定した場合、第一通信部２０１から入力した繁忙度情報と、位置検出部２０５から入力する電気機器２０ａと各携帯装置１０との距離とに基づいて、携帯装置１０の送信先として最も優先順位の高い携帯装置１０を特定する（ステップＳ６）。
例えば、通知判定部２０６は、はるなが所持する携帯装置１０ａからの距離３を示す信号を位置検出部２０５から入力し、繁忙度１を示す信号を状態検出部１０４から受信する。電気機器２０は、だいちが所持する携帯装置１０ｂからの距離１を示す信号を位置検出部２０５から入力し、繁忙度２を示す信号を状態検出部１０４から受信する。また、電気機器２０は、みきが所持する携帯装置１０ｃからの距離４を示す信号を位置検出部２０５から入力し、繁忙度３を示す信号を状態検出部１０４から受信する。この場合、通知判定部２０６は、はるなが所持する携帯装置１０ａの優先順位を４と特定する。通知判定部２０６は、だいちが所持する携帯装置１０ｂの優先順位を３と特定する。通知判定部２０６は、みきが所持する携帯装置１０ｃの優先順位を１４と特定する。そして、通知判定部２０６は、最も優先順位の高いだいちが所持する携帯装置１０ｂを特定する。
【００２５】
通知判定部２０６は、最も優先順位の高い携帯装置１０を特定すると、第一通信部２０１を介して特定した最も優先順位の高い携帯装置１０にメッセージを送信する。
第一通信部１０１が電気機器２０ａからメッセージを受信すると、通知部１０５は、第一通信部１０１からメッセージを入力する。そして、通知部１０５は、ユーザにメッセージを報知する（ステップＳ７）。
【００２６】
以上のような通知システムによれば、電気機器が自機器の状態やヘルプメッセージなどをユーザに通知する際に、ユーザが不快な気分にならない。
なお、上述の通知判定部２０６の機能は、電気機器２０ではなく携帯装置１０が備えても良い。
また、上述の実施形態では、第一の通信と第二の通信の２つの通信を行う場合を例に本発明の通知システムの処理を説明したが、それに限定するものではない。例えば、ＢＬＥ（Ｂｌｕｅｔｏｏｔｈ  Ｌｏｗ  Ｅｎｅｒｇｙ）対応機器は、常にＢｌｕｅｔｏｏｔｈ通信が可能な状態であっても低消費電力であり、Ｂｌｕｅｔｏｏｔｈ通信のみでユーザ情報を送信し通信を行っても良い。その場合、第一の通信がＢｌｕｅｔｏｏｔｈ通信であり、異常検出部２０３が異常を検出した場合に、第一通信部２０１は、第二の通信を可能にする通信要求を携帯装置１０に送信する必要はない。また、電気機器２０及び携帯装置１０は、必ずしも第二通信部（第二通信部１０２、第二通信部２０２）を備える必要はない。
【００２７】
なお、本発明における記憶部１０９や記憶部２０９は、適切な情報の送受信が行われる範囲においてどこに備えられていてもよい。また、記憶部１０９や記憶部２０９は、適切な情報の送受信が行われる範囲において複数存在しデータを分散して記憶していてもよい。
【００２８】
なお本発明の実施形態における処理フローは、適切な処理が行われる範囲において、処理の順番が入れ替わってもよい。
【００２９】
上述の通知システムは内部に、コンピュータシステムを有している。そして、上述した処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００３０】
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【００３１】
１・・・通知システム
１０、１０ａ、１０ｂ、１０ｃ・・・携帯装置
２０、２０ａ、２０ｂ・・・電気機器
１０１、２０１・・・第一通信部
１０２、２０２・・・第二通信部
１０３・・・通信制御部
１０４・・・状態検出部
１０５・・・通知部
１０９・・・記憶部
２０３・・・異常検出部
２０４・・・通信要求部
２０５・・・位置検出部
２０６・・・通知判定部
２０９・・・記憶部
【図１】
2015143948.tif 000003
【図２】
2015143948.tif 000004
【図３】
2015143948.tif 000005
【図４】
2015143948.tif 000006
【図５】
2015143948.tif 000007
【図６】
2015143948.tif 000008
【図７】
2015143948.tif 000009
【図８】
2015143948.tif 000010